(57)【要約】【課題】  桶胴太鼓や締太鼓等、胴の両端の革が紐締めされている和太鼓の紐が、胴の外周面に接触することを防止し、これにより音質の改善を図った和太鼓とする。【解決手段】  胴の両端の革３が紐締めされている和太鼓１において、胴２の外周に内輪５ａが胴２の外周よりも大径で、外輪５ｂが革張りリング７よりも小径で、両輪５ａ、５ｂ間に所定の間隔で複数のスペーサー５ｃを介して連結した二重リング５を遊嵌する。二重リング５の両輪５ａ、５ｂ間に紐４を挿通し編結する。【選択図】  図１
2006113225.tif 000002
【特許請求の範囲】
【請求項１】
胴の両端の革が紐締めされている和太鼓において、胴の外周に内輪が胴の外周よりも大径で、外輪が革張りリングよりも小径で、両輪間に所定の間隔で複数のスペーサーを介して連結した二重リングが遊嵌され、この二重リングの両輪間に紐が挿通し編結されていることを特徴とする和太鼓
【発明の詳細な説明】
【技術分野】
【０００１】
本発明は、太鼓の胴の両端の革が紐締めされている和太鼓に係り、詳しくは、この種の太鼓の音質の改善を図った和太鼓に関するものである。
【背景技術】
【０００２】
太鼓の胴の両端の革が紐締めされている和太鼓として、桶胴太鼓や締太鼓が知られている。
太鼓は胴の両端に張設された革面を桴で打ち、その打音の振動が胴を伝わって反対側の革を響かせると共に、太鼓の内部を共鳴箱として大きな音を発している。そして、革面の振動が止まるまで余韻が持続する。
したがって、打音に対して胴の果たす役割は非常に重要で、音色や共鳴、余韻等音質が異なるものとなる。
【０００３】
しかし、紐の張り具合によって音圧調整を行う桶胴太鼓や締太鼓等の胴の両端の革が紐締めされている和太鼓は、胴の外周面と間隔をおいて胴の周囲に編結された紐が張設されているので、胴の中央部がくびれた鼓形状のものはよいが、胴周りが同一径のものや、胴の中央部が膨らんだ形状のものでは、この紐の一部が胴に接触していることがある。
紐が胴に接触すると振動が伝わり難くなると共に、余韻も長く持続しなくなり、特に打音に透明度、すなわち澄んだ音色を発しなくなってしまうのである。
【０００４】
従来、音色や共鳴、余韻等、音質の改善を図ったものとして、特開平１１ー１１９７７０の余韻増長器およびこれを装着した太鼓が提案されている。
この太鼓は、胴内周面に短冊状の金属製振動子の表裏面を太鼓胴端の革面と平行に装着したもので、構造が複雑であると共に太鼓は革が鋲止めされた長胴太鼓であり、桶胴太鼓等と異なっている。
【特許文献１】特開平１１ー１１９７７０
【発明の開示】
【発明が解決しようとする課題】
【０００５】
上記点より本発明は、桶胴太鼓や締太鼓等胴の両端の革が紐締めされている和太鼓の紐が、胴の外周面に接触することを防止し、これにより音質の改善を図った和太鼓を提供しようとするものである。
【課題を解決するための手段】
【０００６】
上記課題を解決するため本発明和太鼓は、胴の両端の革が紐締めされている和太鼓において、胴の外周に内輪が胴の外周よりも大径で、外輪が革張りリングよりも小径で、両輪間に所定の間隔で複数のスペーサーを介して連結した二重リングが遊嵌され、この二重リングの両輪間に紐が挿通し編結されていることを特徴とするものである。
【０００７】
このような構成とすることにより、紐は二重リングの両輪間に挿通し編結されて緊締され、この二重リングは内輪が胴の外周よりも大径であるため、紐は胴の外周面に接触することがない。
又、二重リングを介在しているため、紐締めの編結に際して、二重リングの存在が編結位置の位置決めを容易とする。
【発明の効果】
【０００８】
本発明に係る和太鼓によれば、紐は二重リングの両輪間に挿通し編結され、この二重リングは内輪が胴の外周よりも大径であるため、紐は胴の外周面に接触することがない。
又、桶胴太鼓で特に中央部が膨らんだ形状の胴であっても接触の虞れがない。
【０００９】
よって、胴は本来の打音の振動の伝達や共鳴箱としての機能を十分に発揮し、澄んだ音色の打音を発すると共に共鳴機能も阻害されず、余韻も長く持続する効果を有する。
【００１０】
音質の改善に胴部や革に加工を施すことがないので、太鼓本体の構造は変わらず、太鼓本体の製作に影響を及ぼすことがない。
又、紐締めの編結に際して、二重リングの存在により編結位置の位置決めが容易となり、紐締め作業の能率の向上を図ることができる効果を有する。
【発明を実施するための最良の形態】
【００１１】
以下、本発明の一実施の形態を添付図面を参照して説明する。
図１は本発明和太鼓の一実施の形態を示す斜視図、図２は図１の断面図、図３は二重リングの正面図である。
本発明の和太鼓１は、胴２の両端に当着した革３、３が紐４により紐締めされている太鼓であり、桶胴太鼓や締太鼓等が挙げられる。
【００１２】
和太鼓１は、胴２と、胴２の両端に当着した革３、３と、革３、３を胴２に当着固定する紐４と、胴２の外周に遊嵌する二重リング５を具備している。
【００１３】
胴２は、例えば欅の幹を輪切りにし、中を刳り抜いて、中央部が膨らんだ円筒状にしたものでも良く、或いは図１及び図２に示すように、杉材等を柾目取りし、乾燥後に所定の長さに切断した板材を桶状に組み、真竹で編んだタガ６をはめて締め付けて形成しても良い。
【００１４】
革３は金属製の革張りリング７に張設してあり、革張りリング７は胴２の外周より大径で、革張りリング７上に革３を張り置き、革張りリング７に沿って周囲を折り返し、折り返し端部と表面とを縫着８、８して形成する。
【００１５】
縫着８、８は革張りリング７の内径に沿った位置と、胴２の外径に沿った位置になされ、更に、革張りリング７の内径に沿って適宜間隔で紐４の挿通孔９、９…が空けられている。革３は黒毛和牛なめし革を使用するのが好ましい。
このように構成した革３、３を胴２の両端に当てると共に、胴の中央部に二重リング５を遊嵌し紐締めする。
【００１６】
二重リング５は、内輪５ａと外輪５ｂと両輪５ａ、５ｂ間に所定の間隔で固着したスペーサー５ｃから構成されている。
内輪５ａは胴２の中央部の外周よりも大径で、胴２の中央部の外周から約１０ｍｍの余裕を持たせて胴２に遊嵌される。外輪５ｂの外径は革張りリング７の内径よりも小径となっている。
又、内輪５ａ及び外輪５ｂは鉄製で、幅約９ｍｍ、厚さ約２ｍｍのテープ状のリングである。
【００１７】
スペーサー５ｃは鉄製で、両輪５ａ、５ｂ間に介在され、両輪５ａ、５ｂを連結する高さ約１２ｍｍの四角形の小片である。このスペーサー５ｃは革３の挿通孔９と同数設けられる。
【００１８】
紐締めは、従来通り一本の紐４で行われ、紐４を一方の胴端の革３の挿通孔９から、胴２の中央部に遊嵌されている二重リング５の内輪５ａと外輪５ｂ間のスペーサー５ｃ間に通して、他方の胴端の革３の挿通孔９に挿通し、折り返した紐４は二重リング５の隣のスペーサー５ｃ間に通して元の一方の革３の隣の挿通孔９に挿通し、以下、両革３、３の挿通孔９、９間に二重リング５を介して交互に繰り返し胴２に沿って一巡する。
【００１９】
そして、同一の紐４で二巡目に二重リング５を挾んで両側に、図１に示すように挿通孔９から折り返されている二重の紐４を一緒に巻いて編結し、二重リング５の外輪５ｂの上面から交互に順次編結し緊締する。
このように二重リング５を除けば、従来通りの紐締め方法であるが、本発明は二重リング５が介在し、二重リング５は紐締めにより胴２の中央部の外周面から浮いた状態で支持され、このように二重リング５の両輪５ａ，５ｂ間に紐締めの紐４が挿通されていることにより、紐４は胴２の外周面との接触が防止されている。
これにより、胴の振動伝達や共鳴箱としての機能を十分に発揮し、打音は透明度のある澄んだ音色なる。
【００２０】
胴端に当着された革３、３は、紐４の緊締度合いによって張り具合が影響を受けると同時に、桴で打つた音色も異なるものとなる。
【００２１】
以上、本発明を実施形態に基づき説明したが、本発明は上記実施形態に何ら限定されるものではなく、例えば、二重リングの材質は繊維強化プラスチック製でも良く、又革が紐締めされていれば胴の形状も胴の外周が同一の径のものでも良い等、本発明の趣旨を逸脱しない範囲内において種々の改良、変形が可能である。
【図面の簡単な説明】
【００２２】
【図１】本発明和太鼓の一実施の形態を示す斜視図である。
【図２】図１の断面図である。
【図３】二重リングの正面図である。
【符号の説明】
【００２３】
１  和太鼓
２  胴
３  革
４  紐
５  二重リング
５ａ  内輪
５ｂ  外輪
５ｃ  スペーサー
７  革張りリング
【図１】
2006113225.tif 000003
【図２】
2006113225.tif 000004
【図３】
2006113225.tif 000005